(57)【要約】【課題】浄化槽についての知識が乏しい者であっても浄化槽の点検等の箇所を容易に把握することが可能な記録票を浄化槽の構成に応じて出力することが可能な浄化槽管理装置および浄化槽管理プログラムの提供。【解決手段】浄化槽を構成する各構成部に合わせて作成された浄化槽チェックシートに基づいて各構成部の管理事項に対応する作業の実施状況を示す情報を入力する入力手段５１と、入力された各構成部の管理事項に対応する作業の実施状況を示す情報を記憶する記憶手段５２と、浄化槽の概略構成を示す構成図上に、各構成部の内容を示す情報を、浄化槽の構成に合わせて重ねて配置した記録票を作成する記録票作成手段５４と、記録票の浄化槽の構成図上に、浄化槽を構成する各構成部の管理事項に対応する作業の実施状況を示す情報を、浄化槽の構成に合わせて重ねて配置する実施状況配置手段５５と、記録票を出力する出力手段５６とを有する。【選択図】  図９
2006110483.tif 000002
【特許請求の範囲】
【請求項１】
浄化槽を構成する各構成部に合わせて作成された浄化槽チェックシートに基づいて前記各構成部の管理事項に対応する作業の実施状況を示す情報を入力する入力手段と、
前記入力された各構成部の管理事項に対応する作業の実施状況を示す情報を記憶する記憶手段と、
前記浄化槽の概略構成を示す構成図上に、前記各構成部の内容を示す情報を、前記浄化槽の構成に合わせて重ねて配置した記録票を作成する記録票作成手段と、
前記記録票の浄化槽の構成図上に、前記浄化槽を構成する各構成部の管理事項に対応する作業の実施状況を示す情報を、前記浄化槽の構成に合わせて重ねて配置する実施状況配置手段と、
前記記録票を出力する出力手段と
を有する浄化槽管理装置。
【請求項２】
前記浄化槽の概略構成を示す構成図を、前記浄化槽の構成に合わせて作成する構成図作成手段を有する請求項１記載の浄化槽管理装置。
【請求項３】
前記各構成部の内容を示す情報は、前記各構成部の名称である請求項１または２に記載の浄化槽管理装置。
【請求項４】
前記実施状況配置手段は、前記作業の実施状況が作業済みの場合に、作業済みを示すマークを配置するものである請求項１から３のいずれかに記載の浄化槽管理装置。
【請求項５】
コンピュータを、
浄化槽を構成する各構成部に合わせて作成された浄化槽チェックシートに基づいて前記各構成部の管理事項に対応する作業の実施状況を示す情報を入力する入力手段と、
前記入力された各構成部の管理事項に対応する作業の実施状況を示す情報を記憶する記憶手段と、
前記浄化槽の概略構成を示す構成図上に、前記各構成部の内容を示す情報を、前記浄化槽の構成に合わせて重ねて配置した記録票を作成する記録票作成手段と、
前記記録票の浄化槽の構成図上に、前記浄化槽を構成する各構成部の管理事項に対応する作業の実施状況を示す情報を、前記浄化槽の構成に合わせて重ねて配置する実施状況配置手段と、
前記記録票を出力する出力手段と
して機能させるための浄化槽管理プログラム。
【請求項６】
さらに前記コンピュータを、前記浄化槽の概略構成を示す構成図を、前記浄化槽の構成に合わせて作成する構成図作成手段として機能させるための請求項５記載の浄化槽管理プログラム。
【発明の詳細な説明】
【技術分野】
【０００１】
本発明は、個人住宅や地域に分散する施設等の浄化槽を巡回して点検、保守、検査や清掃など（以下、「点検等」と称す。）を行い、その場で報告書等の作成作業を行って管理するための浄化槽管理装置および浄化槽管理プログラムに関する。
【背景技術】
【０００２】
上下水道は古くから発達してきており、人社会にとって不可欠のものである。下水道については、環境の汚染を防止する意味で、今日では特に重要なものとなっている。汚水を受け入れてから処理して排水するまでの汚水処理システムとして、大都市では大規模な下水システムが発達しているが、建物や施設が分散している地域ではコストの面から大規模な下水道を敷設するのは困難であり、分散型の浄化槽システムが使われることが多くなっている。
【０００３】
個人住宅や地域の施設で使われる浄化槽システムは、処理能力や処理内容によって構成が様々であり、また同じような規模であっても用いられる機器のメーカなどが異なるため、ほとんどの浄化槽は構成が異なっているといっても過言ではない。一方、浄化槽は１年に数回は点検し、状況に応じて清掃、調整などの保守を行うことが義務づけられており、その実務は地域の組織や企業に委託されている。そして複数の企業が分担して管理をしていることが多い。このような背景にあって、従来の浄化槽の管理は次のようにして行われている。
【０００４】
個人住宅や地域の施設等が建設されて浄化槽が設置されると、その浄化槽の処理能力や処理内容、規模、構成に基づいて管理すべき事項がリストアップされ、管理用の浄化槽チェックリストが作成される。その場合、用いる設備、機器を一つ一つ洗い出して各々について管理すべき事項をリストアップしている。こうして作成された各々の浄化槽の浄化槽チェックリストが管理を委託された企業の管理棟に保存され、管理するときに持ち出して使われる。
【０００５】
浄化槽を管理するときは、委託された企業が１日で管理する複数の浄化槽の浄化槽チェックリストを抽出し、作業者がそれを持って巡回用の車に乗り、巡回する。巡回するときは始めに浄化槽の巡回順序を決め、その順番で巡回する。浄化槽の設置場所に着くと、その浄化槽に該当するシートを選択し、表示されている項目ごとに管理のための作業を実施する。そして、シートの当該箇所に実施した旨を記入し、全項目が終わるまで同じことを繰り返す。
【０００６】
依頼元から料金を受け取った場合は、料金を収納したことも浄化槽チェックシートに記載する。浄化槽の管理が終わると、リストを見て管理が終わっていない次の順番の浄化槽を見出し、その場所を探して車で移動する。そして前の浄化槽と同様の作業を繰り返して管理する。リストに記載された全ての浄化槽の管理を終えると、持ちかえって浄化槽チェックシートの整理をして、その後のために必要とする集計等の計算をする。水質検査機関による浄化槽の検査についても同様の手順により行う。
【０００７】
本発明者は、上記浄化槽チェックシートを効率よく、確実に作成できるようにするとともに、浄化槽の管理を、安全で確実に、かつ効率よくできるようにすることを目的として、特許文献１に記載の浄化槽管理システムを開発している。この浄化槽管理システムによれば、作業者の携帯用入出力端末に作業項目が順番通りに表示されるため、作業者はその表示されたとおりにその項目の作業を実施することができる。
【特許文献１】特開２００２−２３０１４５号公報
【発明の開示】
【発明が解決しようとする課題】
【０００８】
ところで、この浄化槽管理システムでは、作業終了時に作業内容を記録した記録票（図１３参照。）を現場で発行するが、浄化槽の設置者（使用者）は実際に浄化槽のどの部分を点検等したか分かりにくい。浄化槽の設置者は浄化槽についての知識が乏しいうえ、前述のようにほとんどの浄化槽は構成が異なっているので浄化槽の各部の区別が付かない。そのため、記録票についても浄化槽ごとに配置が異なっており、浄化槽に精通した専門家でなければ浄化槽のどの部分を点検、清掃等したか、把握することができない。
【０００９】
そこで、本発明においては、浄化槽についての知識が乏しい者であっても浄化槽の点検等の箇所を容易に把握することが可能な記録票を浄化槽の構成に応じて出力することが可能な浄化槽管理装置および浄化槽管理プログラムを提供することを目的とする。
【課題を解決するための手段】
【００１０】
本発明の浄化槽管理装置は、浄化槽を構成する各構成部に合わせて作成された浄化槽チェックシートに基づいて各構成部の管理事項に対応する作業の実施状況を示す情報を入力する入力手段と、入力された各構成部の管理事項に対応する作業の実施状況を示す情報を記憶する記憶手段と、浄化槽の概略構成を示す構成図上に、各構成部の内容を示す情報を、浄化槽の構成に合わせて重ねて配置した記録票を作成する記録票作成手段と、記録票の浄化槽の構成図上に、浄化槽を構成する各構成部の管理事項に対応する作業の実施状況を示す情報を、浄化槽の構成に合わせて重ねて配置する実施状況配置手段と、記録票を出力する出力手段とを有する。
【００１１】
本発明の浄化槽管理装置によれば、浄化槽を構成する各構成部に合わせて作成された浄化槽チェックシートに基づいて各構成部の管理事項に対応する作業の実施状況を示す情報を入力すると、この入力された各構成部の管理事項に対応する作業の実施状況を示す情報が、浄化槽の構成図上に、自動的に、浄化槽の構成に合わせて各構成部の内容を示す情報とともに重ねて配置された記録票が出力される。なお、本発明において浄化槽とは、浄化槽本体をいう他、浄化槽に至る配管、機器、装置や建物等を含めた浄化槽システムの全体をいうものとする。したがって、浄化槽を構成する各構成部とは、浄化槽本体を構成する各処理槽をいう他、浄化槽に至る配管、機器、装置や建物等の各付属部をいう。
【００１２】
ここで、本発明の浄化槽管理装置は、浄化槽の概略構成を示す構成図を、浄化槽の構成に合わせて作成する構成図作成手段を有することが望ましい。これにより、本発明の浄化槽管理装置により出力される記録票は、各構成部の内容を示す情報と各構成部の管理事項に対応する作業の実施状況を示す情報とが、各浄化槽の構成に合わせて自動的に作成された構成図上に配置されたものとなる。なお、浄化槽の概略構成を示す構成図は、予め浄化槽の構成におおよそ合わせて作成されたものを記憶手段に記憶しておく構成とすることも可能である。
【００１３】
本発明の浄化槽管理プログラムは、コンピュータを、浄化槽を構成する各構成部に合わせて作成された浄化槽チェックシートに基づいて各構成部の管理事項に対応する作業の実施状況を示す情報を入力する入力手段と、入力された各構成部の管理事項に対応する作業の実施状況を示す情報を記憶する記憶手段と、浄化槽の概略構成を示す構成図上に、各構成部の内容を示す情報を、浄化槽の構成に合わせて重ねて配置した記録票を作成する記録票作成手段と、記録票の浄化槽の構成図上に、浄化槽を構成する各構成部の管理事項に対応する作業の実施状況を示す情報を、浄化槽の構成に合わせて重ねて配置する実施状況配置手段と、記録票を出力する出力手段として機能させるためのものである。この浄化槽管理プログラムを実行したコンピュータによれば、上記本発明の浄化槽管理装置と同様の作用、効果を奏することができる。
【発明の効果】
【００１４】
（１）浄化槽を構成する各構成部に合わせて作成された浄化槽チェックシートに基づいて各構成部の管理事項に対応する作業の実施状況を示す情報を入力する入力手段と、入力された各構成部の管理事項に対応する作業の実施状況を示す情報を記憶する記憶手段と、浄化槽の概略構成を示す構成図上に、各構成部の内容を示す情報を、浄化槽の構成に合わせて重ねて配置した記録票を作成する記録票作成手段と、記録票の浄化槽の構成図上に、浄化槽を構成する各構成部の管理事項に対応する作業の実施状況を示す情報を、浄化槽の構成に合わせて重ねて配置する実施状況配置手段と、記録票を出力する出力手段とを有することにより、各構成部の管理事項に対応する点検等の作業の実施状況を示す情報が、浄化槽の構成図上に、自動的に、浄化槽の構成に合わせて各構成部の内容を示す情報とともに重ねて配置された記録票が出力される。この記録票によれば、配置が異なる浄化槽についても、各構成部の内容を示す情報とその各構成部の点検等の作業の実施状況を示す情報とが、各浄化槽に応じた構成図上に重ねて表示されるので、浄化槽についての知識が乏しい者であっても浄化槽の点検等の箇所を容易に把握することが可能となる。
【００１５】
（２）浄化槽の概略構成を示す構成図を、浄化槽の構成に合わせて作成する構成図作成手段を有することにより、各構成部の内容を示す情報と各構成部の管理事項に対応する作業の実施状況を示す情報とが、各浄化槽の構成に合わせて自動的に作成された構成図上に配置された記録票が出力される。この記録票によれば、各浄化槽の内容を示す情報とこの各浄化槽の点検等の作業の実施状況を示す情報と各浄化槽の構成図との配置が、必ず一対一で対応するので、浄化槽についての知識が乏しい者であっても浄化槽の点検等の箇所をより容易に把握することが可能となる。
【発明を実施するための最良の形態】
【００１６】
図１は本発明の実施の形態における浄化槽チェックシートの作成方法を説明するための図である。同図（ａ）は、作成するチェックシートの対象となっている浄化槽Ａの構成例を示している。同図（ａ）に示すように、浄化槽Ａは、沈殿分離槽ａ、接触ばっ気槽ｂ、沈殿槽ｃおよび消毒槽ｄの各処理槽からなり、汚泥等は図中の矢印に示すような経路で流れる。同図（ｂ）は浄化槽の点検、保守、検査、清掃等の管理作業に用いられるチェックシートを格納した浄化槽チェックシートデータベースＢの構成を示している。同図（ｃ）は本実施形態における作成方法によって作成された浄化槽Ａのチェックシートを示している。浄化槽チェックシートデータベースＢに格納されたチェックシートは、それぞれ、管理すべき事項が、管理する順番も勘案して記載されている。
【００１７】
本実施形態においては、まず、浄化槽に用いられるあらゆる装置毎に管理すべき事項をリストアップし、その順序を決めてチェックシートａ１，ａ２，ｂ１，ｂ２，ｃ１，ｃ２，ｄ１等を作る。次に、こうして作ったチェックシートａ１，ａ２，ｂ１，ｂ２，ｃ１，ｃ２，ｄ１等を集めて浄化槽チェックシートデータベースＢに格納しておく。浄化槽Ａの管理を開始する際、沈殿分離槽ａ、接触ばっ気槽ｂ、沈殿槽ｃ、消毒槽ｄに対応する四つのチェックシート、すなわち、沈殿分離槽のチェックシートａ１、接触ばっ気槽のチェックシートｂ１、沈殿槽のチェックシートｃ１、消毒槽のチェックシートｄ１、を浄化槽チェックシートデータベースＢから抽出する。そして、抽出された四つのチェックシートを各処理槽の管理順序を勘案して並べ、浄化槽ＡのチェックシートＡ１を作成する。
【００１８】
上記の例は、浄化槽Ａの構成や配置等が変わらない場合を示したが、浄化槽管理者が浄化槽Ａをみてから、管理の面で浄化槽の構成や各処理槽の配置等が適切でないと判断する場合があるので、そのような場合は、浄化槽Ａを構成する４つの各処理槽の仕様を変えたり、配置を変えたりし、管理する上で好適なものとすることができる。
【００１９】
図２は予め作成された（ａ）標準浄化槽チェックシートと、本実施形態における作成方法により作成された（ｂ）浄化槽チェックシートを示している。個人住宅や地域の施設で使われる浄化槽システムは、処理能力や処理内容によって構成が様々であり、また同じような規模であっても用いられる機器のメーカなどが異なるため、ほとんどの浄化槽は構成が異なっているといっても過言ではない。そこで、本実施形態においては、広く使われる浄化槽の中から標準的な構成を有するいくつかの浄化槽を決めておき、その標準浄化槽の点検や保守などの管理事項を決めたチェックシートを始めに作成しておく。その管理事項の順番についても、効率よく実施できるよう順番を十分検討して決めておく。このようにして予め定められた多数の標準浄化槽チェックシートの一例が図２の（ａ）である。
【００２０】
新しく浄化槽の管理をすることになり、その構成等からみて最も近いということで選ばれた標準浄化槽のチェックシートが（ａ）であったとする。このチェックシートには標準浄化槽の管理事項が記載され、（１）駐車、（２）挨拶、から（１３）完了通知比較、まで順番も決められている。管理事項の中には下位の管理事項が決められているものもある。例えば、（２）挨拶、については、（２０１）異常臭気、から（２０７）設置者に報告、までの下位事項が順番に決められている。新しい浄化槽の浄化槽チェックシートを作るときは、この標準浄化槽チェックシートの管理事項が異なっているところを修正すればよく、この例の場合、標準浄化槽チェックシートの（２０５）流入管路、マンホール周辺路面の異常、（５０１）水質測定器の調整、が削除され、新たに（６１０）ブロワ、（６１１）換気装置、（７１１）ブロワ、（７１２）換気装置、が追加され（ｂ）の浄化槽チェックシートが作られている。このように、予め作られた多数の標準浄化槽チェックシートから構成等が最も近い浄化槽のチェックシートを抽出して修正すれば新規に管理する浄化槽のチェックシートができあがるので、漏れが少なくなり、作成する時間も短時間で済む。
【００２１】
図３は本発明の実施の形態における浄化槽管理システムの概要を説明する図、図４はその構成を示すブロック図、図５は本システムで使われるファイルの構成を示す図、図６は本システムによる浄化槽管理手順を示すフロー図である。
【００２２】
図３および図４において、管理用計算機１は、入力装置１１、出力装置１２、表示装置１３、中央処理装置１４、記憶装置１５から構成され、浄化槽の管理を委託された企業の管理棟１０に設置される。記憶装置１５には浄化槽の管理に用いる元管理ファイル１６が格納されており、これを管理するアプリケーションプログラムも格納されている。元管理ファイル１６には当該企業が管理を委託されている浄化槽の浄化槽チェックシートが全て含まれている。元管理ファイル１６のデータは、入力装置１１からデータを入力して書き換えることができ、データの一部を表示装置１３に表示したり、プリンタや外部記憶装置などの出力装置１２に出力したりすることができる。中央処理装置１４は、記憶装置１５に格納された管理用のアプリケーションプログラムを起動すると、元管理ファイル１６の処理に関係する全ての機能を管理用計算機１に付加することができる。
【００２３】
モバイル計算機２は、入力装置２１、出力装置２２、表示装置２３、中央処理装置２４、記憶装置２５から構成され、巡回用の車２０に搭載される。記憶装置２５には元管理ファイル１６の一部がダウンロードされて子管理ファイル２６として格納され、これを管理するアプリケーションプログラムも格納されている。子管理ファイル２６のデータは、データの一部を表示装置２３に表示することができるようになっている。中央処理装置２４は、記憶装置２５に格納された管理用のアプリケーションプログラムを起動すると、子管理ファイル２６の操作に関係する全ての機能をモバイル計算機２に付加することができる。
【００２４】
携帯用入出力端末３は、入力装置３１、表示装置３３、中央処理装置３４、記憶装置３５から構成される。記憶装置３５には子管理ファイル２６の中から１つの浄化槽チェックシート３６１（図５参照。）がダウンロードされ孫管理ファイル３６として格納されており、これを管理するアプリケーションプログラムも格納されている。浄化槽チェックシート３６１のデータの一部は表示装置３３に表示することができるようになっている。中央処理装置３４は、記憶装置３５に格納された管理用のアプリケーションプログラムを起動すると、浄化槽チェックシート３６１の表示とデータ入力に関係する全ての機能を携帯用入出力端末３に付加することができる。
【００２５】
管理用計算機１とモバイル計算機２とを有線または無線で接続すると、元管理ファイル１６の中から一部の浄化槽チェックシートをダウンロードしてモバイル計算機２の子管理ファイル２６としたり、子管理ファイル２６の更新された子管理ファイルを元管理ファイル１６にアップロードしたりすることが可能となる。また、モバイル計算機２と携帯用入出力端末３とを有線または無線で接続すると、子管理ファイル２６の中から１つの浄化槽管理ファイル３６１をモバイル計算機２から携帯用入出力端末３にダウンロードしたり、データを入力して更新された浄化槽チェックシート３６１を含む孫管理ファイル３６を子管理ファイル２６にアップロードしたりすることが可能となる。
【００２６】
図５は、元管理ファイル１６と子管理ファイル２６、孫管理ファイル３６の関係を示している。元管理ファイル１６は当該企業が管理を委託されている全ての浄化槽チェックシート１６１が含まれており、図の例では１０００個の浄化槽チェックシートが含まれている場合が示されている。子管理ファイル２６は元管理ファイル１６の中から１日に巡回して管理する浄化槽のチェックシート２６１が取り出されて格納されており、図の例では１００個の浄化槽チェックシートが含まれている場合が示されている。この１００個は、１０００個の浄化槽チェックシート１６１のうち、１個目から順に１００個目まで取り出したものではなく、巡回する日の管理対象となっている１００ヶ所の浄化槽に対応する１００個が選択され取り出されている。孫管理ファイル３６は、子管理ファイル２６の中から取り出された１個の浄化槽チェックシート３６１だけを含んでおり、管理をする浄化槽のところにたどり着いたとき、管理をするその浄化槽に対応する１個の浄化槽チェックシート３６１を含んでいるのである。
【００２７】
次に、図２に戻って、（ｂ）の浄化槽チェックシートについて説明する。このチェックシートは管理する浄化槽の管理事項が順を追って記載されており、大項目と下位の小項目を含んで記載されている。具体的には、巡回車で浄化槽のところに到着した後になすべきことを、番号を追って順に示されており、ある浄化槽の例として示すと次のようになっている。
【００２８】
（１）巡回車を適当な駐車場所に駐車する。
（２）浄化槽の持ち主あるいは管理者に挨拶し、目視により確認できる事項のチェックをする。この項目には下位の項目があり（２０１）異常臭気のチェック、（２０２）異常騒音のチェック、（２０３）浄化槽周辺の異常のチェック、（２０４）点検口の開放状態の確認、（２０５）安全措置の確認、（２０６）設置者への報告、の順に実施することが示されている。
（３）浄化槽に対応する管理記録票を確認する。
（４）動力盤や制御盤等の電気設備を点検する。この項目には下位の項目があり、（４０１）故障表示のチェック、（４０２）各機器の異常電流のチェック、（４０３）各機器に設けられたスイッチの設定異常のチェック、（４０４）水道メータ等の点検、（４０５）電灯、分電盤の異常のチェック、（４０６）異常個所の点検、の順に実施することが示されている。
（５）浄化槽に注入する薬液等の調整をして浄化槽を管理する準備をする。この項目には下位の項目があり、（５０１）点検用器具の準備、を実施することが示されている。
（６）複数ある処理槽のそれぞれについて、単位装置の点検と水質測定をする。この項目には下位の項目があり、（６０１）油脂分離槽、（６０２）原水ポンプ槽、（６０３）放流管渠、（６０４）放流ポンプ槽、（６０５）消毒槽、（６０６）沈殿槽、（６０７）接触ばっ気槽、（６０８）嫌気ろ床槽第２室、（６０９）嫌気ろ床槽第１室、（６１０）ブロワ、（６１１）換気装置、の順に点検を実施することが示されている。
（７）複数ある処理槽のそれぞれについて、単位装置の保守をする。この項目には下位の項目があり、（７０１）流入管渠、（７０２）油脂分離槽、（７０３）原水ポンプ槽、（７０４）放流管渠、（７０５）放流ポンプ槽、（７０６）消毒槽、（７０７）沈殿槽、（７０８）接触ばっ気槽、（７０９）嫌気ろ床槽第２室、（７１０）嫌気ろ床槽第１室、（７１１）ブロワ、（７１２）換気装置、の順に点検を実施することが示されている。
（８）保守作業をした結果の状況についてチェックをする。
（９）各処理槽の点検口を密閉する。
（１０）動力盤や制御盤等の電気設備の状況を確認する。
（１１）後片付けをして整理整頓し、掃除をする。
（１２）前回の管理結果と比較し、記録の整理をする。
（１３）完了通知をする。
【００２９】
次に、図６のフロー図に従って、本実施形態における浄化槽管理システムによる浄化槽の管理方法について説明する。
【００３０】
（Ｓ１）浄化槽の管理を始める時、まず、管理棟１０にある管理用計算機１とモバイル計算機２を有線または無線で接続し、管理用計算機１の記憶装置１５に格納された元管理ファイル１６の中から、その日に巡回する浄化槽あるいは数日間に巡回する全ての浄化槽のチェックシート２６１をダウンロードし、子管理ファイル２６として記憶装置２５に格納する。そしてモバイル計算機２を巡回用の車２０に搭載する。
（Ｓ２）モバイル計算機２を起動すると、子管理ファイル２６に含まれる情報に基いて、浄化槽４の所在地又は地図情報を含む位置情報が表示装置２３に表示され、表示された指示に従い、作業者が浄化槽４へ向かう。
【００３１】
（Ｓ３）点検する浄化槽４のところに到着すると、モバイル計算機２と携帯用入出力端末３を有線または無線で接続し、その浄化槽のチェックシート３６１だけをモバイル計算機２からダウンロードして携帯用入出力端末３の記憶装置３５に格納する。
（Ｓ４）作業者が携帯用入出力端末３を持って車から降り、浄化槽のところに移動する。
（Ｓ５）携帯用入出力端末３を起動させると、浄化槽チェックシート３６１のうち、最初の作業項目が表示され、２回目以降であれば、順番どおりの作業項目が表示される。
【００３２】
ここで、携帯用入出力端末３の表示装置３３には、各作業項目の実施サイクルに応じて、その回の作業が必要なものについてのみ表示され、不要なものについては表示されない。これは、前述の制御プログラムの動作によるものである。各作業項目の実施サイクルは、例えば、絶縁抵抗の点検・保守のような年１回や、堆積汚泥の生成状況の点検・保守のような月１回等の期間の条件が定められている。
【００３３】
本実施形態における浄化槽管理システムでは、後述のように作業の実施状況の全データがモバイル計算機２を経て管理用計算機１にアップロードされ、管理されていることから、次に管理用計算機１からモバイル計算機２を経て携帯用入出力端末３にダウンロードされるデータには前回の作業日、すなわち各作業項目の最終作業日が含まれている。そこで、携帯用入出力端末３はこの最終作業日から今回の作業日までの経過日数に基づいて、各作業項目のうち、その回の作業対象となっている項目のみを表示装置３３に表示する。図７（ａ）は表示装置３３に表示される画面の遷移例を示している。
【００３４】
（Ｓ６）作業者は携帯用入出力端末３の表示装置３３に表示されたとおりに、その項目の作業を実施する。作業者は、上述のように実施サイクルが異なる作業項目については、自動的にその作業項目の表示または非表示が切り替えられて携帯用入出力端末３の表示装置３３に表示されるため、実施サイクルによってはその回の作業が必要なものまたは不要なものについて自分で判断する必要がない。
【００３５】
（Ｓ７）表示された作業を実施した場合は、実施したということを携帯用入出力端末３の入力装置３１から入力し、浄化槽チェックシート３６１の関係箇所に記入する。
（Ｓ８）携帯用入出力端末３が、浄化槽チェックシート３６１の全項目が終わったかどうかを判断する。
（Ｓ９）全項目が終了していなければ、（Ｓ５）に移行してその後の手順を繰り返す。
【００３６】
（Ｓ１０）全項目が終了していれば、作業者が携帯用入出力端末３を巡回用の車２０に持ち帰り、データが入力されて更新された浄化槽チェックシート３６１をモバイル計算機２にアップロードする。これで１ヶ所の浄化槽の点検を終える。なお、全項目の作業を終了してときに、浄化槽管理の依頼元から料金の支払いがあれば、その情報も携帯用入出力端末３に入力して浄化槽チェックシートに付加される。
【００３７】
（Ｓ１１）次に、次の点検地が残っているかどうかをモバイル計算機２が判断する。
（Ｓ１２）残っていれば、モバイル計算機２が所在地または地図情報を含む位置情報を表示する次の点検地に巡回用の車２０で移動し、（Ｓ３）に移行してその後の手順を繰り返す。
（Ｓ１３）次の点検地が残っていなければ、その日に管理する全ての浄化槽についてなすべき作業が終了しているので、管理棟１０に戻ってモバイル計算機２の子管理ファイル２６を管理用計算機１にアップロードする。
（Ｓ１４）これでその日に管理された作業の実施状況の全データが記憶装置１５の元管理ファイル１６にアップロードされ、その後の処理・手続き等に必要な計算等が適宜行われる。
【００３８】
なお、（Ｓ１）と（Ｓ１２）のところで次の点検地へ移動する時の点検地の巡回順序は、効率よく巡回できるように予め決められており、その情報は子管理ファイル２６に含まれている。その順路は地理的位置関係や、交通事情、道路事情などが勘案され、最も効率のよい順路が決められている。
【００３９】
以上述べたように、本実施形態における浄化槽管理システムでは、およそ、１日分の浄化槽のデータあるいは各作業者が巡回を担当する数日間分の浄化槽のデータをモバイル計算機２にダウンロードするとモバイル計算機２の指示に従って巡回し、モバイル計算機２から浄化槽４のデータを携帯用入出力端末３にダウンロードして、その指示に従って管理をする、というようになっている。したがって、作業者による管理が漏れなく確実に行なわれるのである。
【００４０】
図７は本発明の別の実施形態を示すブロック図、図８はその手順を示すフロー図であり、携帯用入出力端末３が図３、図４のモバイル計算機２と携帯用入出力端末３の機能を兼ね備えた場合を示している。この図の携帯用入出力端末３の記憶装置３５には、図４に示すモバイル計算機２の子管理ファイル２６が格納されており、これを管理するアプリケーションプログラムも格納されている。図８のフローチャートに示すこのシステムの動作手順は、図６のフローチャートにあるモバイル計算機２の機能を携帯用入出力端末３に付加した場合と同じになっているので、詳細な説明は省略して動作手順の大筋について説明する。
【００４１】
管理用計算機１の元管理ファイル１６の中から、その日に巡回して管理する浄化槽のチェックシートをダウンロードし、携帯用入出力端末３の記憶装置３５に格納して子管理ファイル２６とすると、携帯用入出力端末３を巡回用の車２０に搭載し、点検地の所在地または地図情報を表示して点検地へ移動する。到着すると、作業者が浄化槽のところへ携帯用入出力端末３を持ち出し、順を追ってその浄化槽のチェックシートにある作業項目を表示し、作業を実施する。そして実施した結果を携帯用入出力端末３に入力して、浄化槽チェックシートを更新し、子管理ファイル２６を更新する。このように携帯用入出力端末３だけを持ち出して浄化槽の管理をしており、前者のものに比べて操作が簡単になっている。
【００４２】
次に、上記構成の浄化槽管理システムにより出力する記録票について説明する。
本実施形態における浄化槽管理システムでは、上記のように浄化槽を構成する各構成部に合わせて作成された浄化槽チェックシートに基づいて各構成部の管理事項に対応する点検等の作業を実施し、それぞれの作業の実施状況を示す情報等を入力した後、携帯用入出力端末３から点検等の作業についての記録票を出力することができる。なお、モバイル計算機２および管理用計算機１からも同様の記録票を出力することができるが、以下では携帯用入出力端末３を例にとって説明する。
【００４３】
図９はこの記録票出力機能を備えた携帯用入出力端末３の構成を示すブロック図である。この場合において携帯用入出力端末３は、浄化槽管理プログラムを実行するコンピュータであり、後述する入力手段５１と、記憶手段５２と、構成図作成手段５３と、記録票作成手段５４と、実施状況配置手段５５と、出力手段５６として機能する。また、この携帯用入出力端末３には、出力手段５６により出力された情報を所定の用紙上に印刷する印刷装置５が接続される。
【００４４】
入力手段５１は、前述のように浄化槽を構成する沈澱分離槽、接触ばっ気槽、沈殿槽や消毒槽等の各構成部に合わせて作成された浄化槽チェックシートに基づいて、各構成部の管理事項に対応する作業の実施状況を示す情報を入力するものである。この入力手段５１は、前述の入力装置３１に対応する。作業者は、前述の（Ｓ７）で説明したように浄化槽チェックシートの関係箇所に各作業を実施したということを入力装置３１により入力していく。そして、各構成部の管理事項に対応する作業がすべて完了すると、その構成部について作業済みとして記憶手段５２に記憶される。記憶手段５２は、前述の記憶装置３５に対応する。
【００４５】
構成図作成手段５３は、浄化槽の概略構成を示す構成図を、浄化槽の構成に合わせて作成するものである。図１０は構成図作成手段５３により作成される浄化槽の概略構成を示す構成図の例を示している。図１０に示す浄化槽の構成図６０には、浄化槽本体を構成する各処理槽としての分離槽６１、流量調整槽６２、２つの曝気槽６３，６４および消毒槽６５と、これに付随する構成部としてのブロアー６６と、汚水入口６７と、処理水出口６８とが示されている。構成図作成手段５３は、入力手段５１により作業の実施状況が入力された浄化槽チェックシートに対応する浄化槽に合わせて、図１０の配置構成を変更した構成図６０を作成する。
【００４６】
記録票作成手段５４は、構成図作成手段５３により作成された構成図６０上に、各構成部の内容を示す情報を、浄化槽の構成に合わせて重ねて配置した記録票を作成するものである。図１１は記録票作成手段５４により作成される記録票の例を示している。図１１に示す記録票には、記録票作成手段５４によって、各構成部の内容を示す情報として各構成部の名称６９ａ，６９ｂ，６９ｃ，６９ｄ，６９ｅが掲載されている。また、この記録票には、記録票作成手段５４によって、設置者に関する情報を示す欄７０、浄化槽の各試験結果を示す欄７１、作業者に関する情報を示す欄７２や印刷日、実績日、前回点検日の各日付を示す欄７３が設けられている。
【００４７】
なお、構成図６０は、構成図作成手段５３により作成されたもの以外にも予め浄化槽の構成におおよそ合わせて作成されたもの使用することが可能である。このとき、予め作成された構成図６０を記憶手段５２に記憶させておき、記録票作成手段５４は、この記憶手段５２に記憶された構成図６０上に、各構成部の内容を示す情報を浄化槽の構成に合わせて重ねて配置する。
【００４８】
実施状況配置手段５５は、記録票作成手段５４によって作成された記録票の浄化槽の構成図６０上に、浄化槽を構成する各構成部の管理事項に対応する作業の実施状況を示す情報を、浄化槽の構成に合わせて重ねて配置するものである。図１２は実施状況配置手段５５により記録票上に実施状況を示す情報が配置された例を示している。図１２に示す記録票には、記録票作成手段５４によって作成された記録票上に、実施状況配置手段５５によって実施状況を示す情報として作業済みを示す「済」マーク７４が掲載されている。なお、実施状況配置手段５５は、各構成部について作業の実施状況が作業済みの場合にのみ、「済」マーク７４を掲載する。また、実施状況配置手段５５は、欄７０〜７３にそれぞれの情報を掲載する。
【００４９】
出力手段５６は、実施状況配置手段５５によって完成された記録票を印刷装置５あるいは図９には示していないが表示装置３３へ出力するものである。印刷装置５または表示装置３３からは、図１２に示すような記録票が所定の用紙上または画面上へと出力される。
【００５０】
このような携帯用入出力端末３では、浄化槽を構成する各構成部に合わせて作成された浄化槽チェックシートに基づいて各構成部の管理事項に対応する作業の実施状況を示す情報を入力装置３により入力すると、この入力された各構成部の管理事項に対応する作業の実施状況を示す「済」マーク７４が、浄化槽の構成図６０上に、自動的に、浄化槽の構成に合わせて各構成部の名称６９ａ，６９ｂ，６９ｃ，６９ｄ，６９ｅとともに重ねて配置された図１２に示す記録票が出力される。
【００５１】
図１２に示す記録票によれば、配置が異なる浄化槽についても、各構成部の名称６９ａ，６９ｂ，６９ｃ，６９ｄとその各構成部の点検等の作業の実施状況を示す「済」マーク７４とが、各浄化槽に応じた構成図６０上に重ねて表示されるので、浄化槽についての知識が乏しい者であっても浄化槽の点検等の箇所を容易に把握することができる。また、本実施形態においては、構成図作成手段５３により、構成図６０を浄化槽の構成に合わせて作成しているので、各構成部の名称６９ａ，６９ｂ，６９ｃ，６９ｄ，６９ｅとその各構成部の点検等の作業の実施状況を示す「済」マーク７４と各浄化槽の構成図６０との配置が、必ず一対一で対応し、より分かりやすくなっている。
【００５２】
また、図示しないが、この記録票には、浄化槽本体だけでなく、この浄化槽本体を含む浄化槽システム全体の構成図を配置する構成とすることも可能である。すなわち、浄化槽本体の他、浄化槽に至る配管、機器、装置や建物等を配置し、この浄化槽システムを構成する各構成部についてそれぞれの点検等の作業の実施状況を示す「済」マークを重ねて配置する構成とすることも可能である。また、作業の実施状況を示す情報については、単なる「済」マークだけでなく、正常「○」、要観察「△」、異常「×」等を配置することも可能である。
【産業上の利用可能性】
【００５３】
本発明の浄化槽管理装置および浄化槽管理プログラムは、個人住宅や地域に分散する施設等の浄化槽を巡回して点検等を行い、その場で報告書等の作成作業を行って管理するための装置およびプログラムとして有用である。
【図面の簡単な説明】
【００５４】
【図１】本発明の実施の形態における浄化槽チェックシートの作成方法を説明する図である。
【図２】浄化槽チェックシートの第２の作成方法を説明する図である。
【図３】本発明の実施の形態における浄化槽管理システムの概要を説明する図である。
【図４】図３の浄化槽管理システムの構成を示すブロック図である。
【図５】図３の浄化槽管理システムにおいて使われるファイルの構成を示す図である。
【図６】図３の浄化槽管理システムによる浄化槽管理手順を示すフロー図である。
【図７】本発明の別の実施形態における浄化槽管理システムの構成を示すブロック図である。
【図８】図７の浄化槽管理システムによる浄化槽管理手順を示すフロー図である。
【図９】記録票出力機能を備えた携帯用入出力端末の構成を示すブロック図である。
【図１０】構成図作成手段により作成される浄化槽の概略構成を示す構成図の例を示す図である。
【図１１】記録票作成手段により作成される記録票の例を示す図である。
【図１２】実施状況配置手段により記録票上に実施状況を示す情報が配置された例を示す図である。
【図１３】従来の記録票の例を示す図である。
【符号の説明】
【００５５】
Ａ  浄化槽
Ａ１  浄化槽のチェックシート
ａ  沈殿分離槽
ａ１  沈殿分離槽のチェックシート
ｂ  接触ばっ気槽
ｂ１  接触ばっ気槽のチェックシート
ｃ  沈殿槽
ｃ１  沈殿槽のチェックシート
ｄ  消毒槽
ｄ１  消毒槽のチェックシート
１  管理用計算機
１６  元管理ファイル
１０  管理棟
２  モバイル計算機
２６  子管理ファイル
２０  巡回用の車
３  携帯用入出力端末
３６  孫管理ファイル
４  浄化槽
５  印刷装置
１１，２１，３１  入力装置
１２，２２  出力装置
１３，２３，３３  表示装置
１４，２４，３４  中央処理装置
１５，２５，３５  記憶装置
５１  入力手段
５２  記憶手段
５３  構成図作成手段
５４  記録票作成手段
５５  実施状況配置手段
５６  出力手段
１６１，２６１，３６１  浄化槽チェックシート
【図１】
2006110483.tif 000003
【図２】
2006110483.tif 000004
【図３】
2006110483.tif 000005
【図４】
2006110483.tif 000006
【図５】
2006110483.tif 000007
【図６】
2006110483.tif 000008
【図７】
2006110483.tif 000009
【図８】
2006110483.tif 000010
【図９】
2006110483.tif 000011
【図１０】
2006110483.tif 000012
【図１１】
2006110483.tif 000013
【図１２】
2006110483.tif 000014
【図１３】
2006110483.tif 000015